(57)【要約】【課題】  作動性及び生産性の向上が可能なボールリテーナ及び直動転がり案内ユニットを提供する。【解決手段】  案内レール２と、スライダ４と、複数のボール６と、ボールリテーナ８とを備える直動転がり案内ユニット１において、ボールリテーナ８を、隣り合うボール６間にそれぞれ介装される複数の円板状の間座部２６と、隣り合う間座部２６同士を連結する連結部２８とから構成し、間座部２６に間座部２６を軸方向に貫通するとともに隣り合うボール６同士が接触しないだけの大きさの円筒状の貫通孔３０を設け、連結部２８を転動体転動路２４に沿って湾曲可能な弾性材料によって形成する。【選択図】    図１
2006153185.tif 000002
【特許請求の範囲】
【請求項１】
直動転がり案内ユニットの転動体転動路内に転動自在に装填される複数のボールに対し、隣り合う前記ボール同士の間隔を所定の間隔に保つボールリテーナであって、
前記ボールリテーナは、隣り合う前記ボール間にそれぞれ介装される複数の円板状またはほぼ円板状の間座部と、隣り合う前記間座部同士を連結する連結部と、から形成され、
前記連結部を、少なくとも前記転動体転動路に沿って湾曲可能な弾性材料によって形成したボールリテーナにおいて、
前記間座部に、該間座部を軸方向に貫通するとともに隣り合うボール同士が接触しないだけの大きさの貫通孔を設けたことを特徴とするボールリテーナ。
【請求項２】
前記貫通孔を円筒状に形成したことを特徴とする請求項１に記載したボールリテーナ。
【請求項３】
前記間座部に、前記貫通孔が間座部の外周側に開口するように切欠いた開口部を形成したことを特徴とする請求項１または２に記載したボールリテーナ。
【請求項４】
前記間座部において前記開口部が形成される径方向の向きを、前記間座部の径方向中心から見て間座部が前記連結部に連結されている部分と略直角をなす向きとしたことを特徴とする請求項３に記載したボールリテーナ。
【請求項５】
前記間座部において前記開口部が形成される径方向の向きを、隣り合う間座部毎に異なる向きとしたことを特徴とする請求項３に記載したボールリテーナ。
【請求項６】
前記間座部の外周部に面取り部を設けたことを特徴とする請求項１から５のうちいずれかに記載したボールリテーナ。
【請求項７】
同一材料を用いて成形された前記間座部及び連結部を一体成形して形成されていることを特徴とする請求項１から６のうちいずれかに記載したボールリテーナ。
【請求項８】
前記間座部と連結部とを別材料を用いて成形し、これらの成形された前記間座部及び連結部を一体成形して形成されていることを特徴とする請求項１から６のうちいずれかに記載したボールリテーナ。
【請求項９】
前記貫通孔内に潤滑剤及び潤滑剤を含浸した潤滑剤含浸部材のうち少なくとも一方を配置したことを特徴とする請求項１から８のうちいずれかに記載したボールリテーナ。
【請求項１０】
一本の前記転動体転動路内に、請求項１から９のうちいずれかに記載したボールリテーナを一つ配置したことを特徴とする直動転がり案内ユニット。
【請求項１１】
一本の前記転動体転動路内に、請求項１から９のうちいずれかに記載したボールリテーナを前記転動体転動路に沿って複数配列したことを特徴とする直動転がり案内ユニット。
【発明の詳細な説明】
【技術分野】
【０００１】
本発明は、工作機械や射出成形機等に用いられる直動転がり案内ユニットに関し、特に、隣り合うボール間に間座部が介装されているボールリテーナ及びこのボールリテーナを備えた直動転がり案内ユニットに関する。
【背景技術】
【０００２】
工作機械用や射出成形機等に用いられている直動転がり案内ユニットは、転動体転動路内を複数のボールが転動しつつ移動することによって、スライダを案内レールに対して相対移動させている。
このような直動転がり案内ユニットは、騒音の発生を抑制するとともに、直動転がり案内ユニットを円滑に作動させるために、隣り合うボール同士の間隔を所定の間隔に保つことにより、隣り合うボール同士の接触を防止するボールリテーナを備えている。
【０００３】
このようなボールリテーナとしては、例えば、特許文献１に記載されているものがある。このボールリテーナは、図１１（ａ），（ｂ）に示すように、円板状の間座部２６と、隣り合う間座部２６同士を連結する連結部２８とから形成されている。
間座部２６には、ボール６の外周に対して摺動自在に接触する一対の凹部４２ａ、４２ｂが設けられている。連結部２８は、湾曲可能な弾性材料によって形成されている。また、ボール６及びボールリテーナ８によって、転動体列３２が構成されている。なお、図１１（ａ）は、転動体転動路内の直線部における転動体列３２の一部を示しており、図１１（ｂ）は、転動体転動路内の曲線部における転動体列３２の一部を示している。このボールリテーナ８は、凹部４２ａ、４２ｂによってボール６を保持することが可能であるため、直動転がり案内ユニットの組立が容易となっている。
【０００４】
また、特許文献２に示すボールリテーナもある。このボールリテーナは、図１２（ａ），（ｂ）に示すように、間座部２６に凹部が設けられていない点を除き、特許文献１に示すボールリテーナ８と同様の構成となっている。すなわち、このボールリテーナ８は、隣り合うボール６同士の間隔を所定の間隔に保っているが、これらのボール６を保持していない。なお、図１２（ａ）は、転動体転動路内の直線部における転動体列３２の一部を示しており、図１２（ｂ）は、転動体転動路内の曲線部における転動体列３２の一部を示している。
【０００５】
また、例えば特許文献３に記載されているように、エンドキャップに給油部を設け、エンドキャップの接合面に給油部と転動体転動路とを連通する油路を形成し、この給油部から油路を通じて転動体転動路内に潤滑剤を供給することにより、円滑な動作及び長寿命化を可能としている直動転がり案内ユニットもある。
また、例えば特許文献４に記載されているように、転動体転動路内に潤滑剤を供給可能な潤滑剤含浸部材を備え、この潤滑剤含浸部材から転動体転動路内に潤滑剤を供給することにより、円滑な動作及び長寿命化を可能としている直動転がり案内ユニットもある。
【特許文献１】特許２６０７９９３号公報（図１〜図３）
【特許文献２】特許３２９９４５０号公報（図５）
【特許文献３】実公平６−２０２４号公報（第３図）
【特許文献４】特開平１０−２０５５３４
【発明の開示】
【発明が解決しようとする課題】
【０００６】
しかしながら、特許文献１に記載のボールリテーナ８を備えた直動転がり案内ユニットでは、間座部２６に設けた一対の凹部４２ａ、４２ｂによってボール６を保持しているため、間座部２６とボール６との接触面積が大きい。このため、間座部２６とボール６との間に生じる摩擦力が増大し、直動転がり案内ユニットの基本摩擦力が増大して、直動転がり案内ユニットの作動性が低下してしまう。また、間座部２６とボール６との間には殆ど隙間が無いため、潤滑剤の保持領域が殆ど確保されず、間座部２６とボール６との間に潤滑不良が生じてしまい、直動転がり案内ユニットの作動性が低下してしまう。
【０００７】
また、特許文献２に記載のボールリテーナ８を備えた直動転がり案内ユニットでは、ボール６が保持されていないため、直動転がり案内ユニットの組立てに手間がかかってしまい、直動転がり案内ユニットの生産性が低下してしまう。
また、特許文献３及び特許文献４に記載の直動転がり案内ユニットにおいては、直動転がり案内ユニットを構成する各部材の構造が複雑化するために、直動転がり案内ユニットの製造コストが増加してしまい、直動転がり案内ユニットの生産性が低下してしまう。
本発明は、上記のような問題点に着目してなされたもので、間座部とボールとの間に生じる摩擦力を低下させるとともに、ボールリテーナによってボールを保持することにより、作動性及び生産性の向上が可能な直動転がり案内ユニットを提供することを課題とする。
【課題を解決するための手段】
【０００８】
上記課題を解決するために、本発明のうち、請求項１に記載した発明は、直動転がり案内ユニットの転動体転動路内に転動自在に装填される複数のボールに対し、隣り合う前記ボール同士の間隔を所定の間隔に保つボールリテーナであって、
前記ボールリテーナは、隣り合う前記ボール間にそれぞれ介装される複数の円板状またはほぼ円板状の間座部と、隣り合う前記間座部同士を連結する連結部と、から形成され、
前記連結部を、少なくとも前記転動体転動路に沿って湾曲可能な弾性材料によって形成したボールリテーナにおいて、
前記間座部に、該間座部を軸方向に貫通するとともに隣り合うボール同士が接触しないだけの大きさの貫通孔を設けたことを特徴とするものである。
【０００９】
本発明によると、間座部に設けた貫通孔によって、間座部とボールとの接触状態を点接触または線接触とすることが可能であるため、間座部とボールとの間に生じる摩擦力を低下させて、直動転がり案内ユニットの基本摩擦力を低下させることが可能となる。また、隣り合う間座部間にボールを保持した際に、間座部に設けた貫通孔によってボールの一部が保持されるため、隣り合う間座部によるボールの保持力が向上して、間座部とボールとからなる転動体列の直動転がり案内ユニットへの組込みが容易となる。
【００１０】
次に、請求項２に記載した発明は、請求項１に記載した発明であって、前記貫通孔を円筒状に形成したことを特徴とするものである。
本発明によると、貫通孔の形状がボールの形状に適応しているため、隣り合う間座部によるボールの保持力を向上させることが可能となる。
次に、請求項３に記載した発明は、請求項１または２に記載した発明であって、前記間座部に、前記貫通孔が間座部の外周側に開口するように切欠いた開口部を形成したことを特徴とするものである。
本発明によると、間座部とボールとの接触面積が減少するため、間座部とボールとの間に生じる摩擦力を減少させることが可能となる。
【００１１】
次に、請求項４に記載した発明は、請求項３に記載した発明であって、前記間座部において前記開口部が形成される径方向の向きを、前記間座部の径方向中心から見て間座部が前記連結部に連結されている部分と略直角をなす向きとしたことを特徴とするものである。
本発明によると、隣り合う間座部間にボールを装填する際に、ボールと連結部とが接触することなく、開口部に沿って貫通孔内にボールの一部を装填することが可能となるため、隣り合う間座部間へのボールの装填が容易となる。
【００１２】
次に、請求項５に記載した発明は、請求項３に記載した発明であって、前記間座部において前記開口部が形成される径方向の向きを、隣り合う間座部毎に異なる向きとしたことを特徴とするものである。
本発明によると、隣り合う間座部毎に開口部が互いに異なる方向を向いて形成されているため、隣り合う間座部によるボールの保持力を向上させることが可能となる。
【００１３】
次に、請求項６に記載した発明は、請求項１から５のうちいずれかに記載した発明であって、前記間座部の外周部に面取り部を設けたことを特徴とするものである。
本発明によると、隣り合う間座部間にボールを装填する際に、ボールが外周部に引っ掛かることが防止されるため、隣り合う間座部間へのボールの装填が容易となる。また、間座部と転動体転動路との間に生じる摩擦力が低下するため、直動転がり案内ユニットの作動性が向上する。
【００１４】
次に、請求項７に記載した発明は、請求項１から６のうちいずれかに記載した発明であって、同一材料を用いて成形された前記間座部及び連結部を一体成形して形成されていることを特徴とするものである。
本発明によると、同一材料を用いて間座部及び連結部を成形し、これらの成形した間座部及び連結部を一体成形してボールリテーナを形成したため、ボールリテーナの形成が容易となるとともにボールリテーナの強度が向上する。
【００１５】
次に、請求項８に記載した発明は、請求項１から６のうちいずれかに記載した発明であって、前記間座部と連結部とを別材料を用いて成形し、これらの成形された前記間座部及び連結部を一体成形して形成されていることを特徴とするものである。
本発明によると、間座部と連結部とをそれぞれの使用条件等に適した別材料を用いて成形し、これらの成形した間座部及び連結部を一体成形してボールリテーナを形成したため、ボールリテーナの強度が増強され耐久性が向上する。
【００１６】
次に、請求項９に記載した発明は、請求項１から８のうちいずれか記載した発明であって、前記貫通孔内に潤滑剤及び潤滑剤を含浸した潤滑剤含浸部材のうち少なくとも一方を配置したことを特徴とするものである。
本発明によると、間座部に設けた貫通孔内に、潤滑剤や潤滑剤を含浸した潤滑剤含浸部材を配置することが可能となるため、間座部とボールとの潤滑状態が良好なものとなり、間座部とボールとの間に生じる摩擦力を低下させることが可能となる。
【００１７】
次に、請求項１０に記載した発明は、一本の前記転動体転動路内に、請求項１から９のうちいずれかに記載したボールリテーナを一つ配置したことを特徴とする直動転がり案内ユニットである。
本発明によると、直動転がり案内ユニットの作動性及び生産性の向上が可能となる。
次に、請求項１１に記載した発明は、一本の前記転動体転動路内に、請求項１から９のうちいずれかに記載したボールリテーナを前記転動体転動路に沿って複数配列したことを特徴とする直動転がり案内ユニットである。
【発明の効果】
【００１８】
本発明によれば、間座部とボールとの間に生じる摩擦力が低下するとともに、ボールリテーナによってボールを保持することが可能となるため、直動転がり案内ユニットの作動性及び生産性の向上が可能となる。
【発明を実施するための最良の形態】
【００１９】
次に、本発明の第一の実施形態について図面を参照しつつ説明する。
まず、図１から図３を参照して本発明の第一の実施形態の構成を説明する。なお、図１１及び図１２と同様の構成については、同一符号を付して説明する。
図１に示すように、本実施形態の直動転がり案内ユニット１は、案内レール２と、案内レール２と相対移動可能に案内レール２に跨架されるスライダ４と、鋼球からなる複数のボール６と、ボールリテーナ８とを備えている。
【００２０】
案内レール２は、軸方向に延びるレール側転動体転動溝１０を外面に有している。
スライダ４は、スライダ本体１２と、スライダ本体１２の軸方向両端面にそれぞれ接合されるエンドキャップ１４とから構成されている。スライダ本体１２は、レール側転動体転動溝１０に対向するスライダ側転動体転動溝１６と、スライダ側転動体転動溝１６と平行をなす転動体戻り路１８とを有している。エンドキャップ１４は、レール側転動体転動溝１０とスライダ側転動体転動溝１６との間に形成される負荷転動路２０と転動体戻り路１８とを連通させる方向転換路２２を有している。また、転動体戻り路１８と、負荷転動路２０及び方向転換路２２により、転動体転動路２４が形成されており、この転動体転動路２４内には、複数のボール６が転動自在に装填されている。
【００２１】
本実施形態のボールリテーナ８は、複数の円板状の間座部２６と、隣り合う間座部２６同士を連結する連結部２８とから形成されている。間座部２６及び連結部２８は同一材料を用いて成形されており、これらの成形された間座部２６及び連結部２８を一体成形することにより、ボールリテーナ８が形成されている。間座部２６は隣り合うボール６間にそれぞれ介装され、間座部２６を軸方向に貫通する貫通孔３０が設けられている。貫通孔３０は円筒状に形成されており、貫通孔３０内にはグリス等の粘性の高い潤滑剤（図示せず）が配置されている。連結部２８は転動体転動路２４に沿って湾曲可能な弾性材料によって形成されており、ボール６及びボールリテーナ８からなる転動体列３２が、転動体転動路２４内において無端状となるように隣り合う間座部２６同士を連結している。すなわち、転動体転動路２４内において、先端の間座部２６ｂと後端の間座部２６ｃを除く隣り合う間座部２６同士は、一つの連結部２８によって連結されており、一本の転動体転動路２４内にはボールリテーナ８が一つ配置されている。
【００２２】
図２（ａ）〜（ｃ）に示すように、ボールリテーナ８には、間座部２６と連結部２８とによって囲まれた空間が形成されており、この空間と貫通孔３０とによって、ボール６の保持部３４が形成されている。なお、図２（ａ）はボールリテーナ８の斜視図を示し、図２（ｂ）はボールリテーナ８を横から見た図を示しており、図２（ｃ）はボールリテーナ８を上方から見た図を示している。また、図２（ｂ）及び図２（ｃ）は、先端の間座部２６ｂと先端から二番目の間座部２６ｃとの間にのみ、ボール６が保持されている状態を示している。
【００２３】
図３に示すように、貫通孔３０の直径ｈは、以下の条件に基づいて設定される。
ボール６ｂ，６ｃの一部が貫通孔３０内に位置している状態において、間座部２６の軸方向長さをｔとし、ボール６ｂ，６ｃの貫通孔３０内に位置している部分の長さをそれぞれｌ１，ｌ２とし、ボール６ｂ，６ｃ間の隙間をｃとした場合に、以下の条件式（１）を満足するものとする。
ｃ＝ｔ−（ｌ１＋ｌ２）＞０…（１）
すなわち、ボール６ｂ，６ｃ間に隙間ｃが確保され、この隙間ｃによってボール６ｂ，６ｃが接触しないように、貫通孔３０の直径ｈを設定する。
【００２４】
次に、上記の構成を備えた直動転がり案内ユニット１の作用・効果等を説明する。
直動転がり案内ユニット１を組み立てる際は、ボール６とボールリテーナ８とからなる転動体列３２を転動体転動路２４内に装填する。以下、転動体列３２を転動体転動路２４内に装填する手順を説明する。
まず、貫通孔３０内に潤滑剤を配置するとともに、保持部３４にボール６を装填する。このとき、連結部２８は湾曲可能な弾性材料によって形成されているため、ボール６を保持部３４へ容易に装填することが可能である。
保持部３４にボール６を装填して転動体列３２を完成させた後、この転動体列３２を転動体転動路２４内へ挿入して、先端の間座部２６ｂと後端の間座部２６ｃとの間にボール６ａを装填する。
【００２５】
したがって、本実施形態の直動転がり案内ユニット１であれば、隣り合う間座部２６間にボール６が保持された状態を保ったままで、ボール６を転動体転動路２４内へ装填することが可能となるため、直動転がり案内ユニット１の生産性が向上する。
また、間座部２６に設けられた貫通孔３０が円筒状であり、ボール６の形状と対応しているため、間座部２６とボール６とが線接触となり、間座部２６とボール６との間に生じる摩擦が減少して、直動転がり案内ユニット１の基礎摩擦力が低下する。このため、直動転がり案内ユニット１の作動性が向上する。
【００２６】
さらに、ボールリテーナ８を、同一材料を用いて間座部２６及び連結部２８を成形し、これらの間座部２６及び連結部２８を一体成形して形成したため、ボールリテーナ８の製造が容易となり、直動転がり案内ユニット１の生産性が向上する。
また、貫通孔３０内に潤滑剤を配置したため、間座部２６とボール６との潤滑状態が良好なものとなり、間座部２６とボール６との間に生じる摩擦力が減少し、直動転がり案内ユニット１の基礎摩擦力が低下して、直動転がり案内ユニット１の作動性が向上する。
【００２７】
なお、本実施形態では、貫通孔３０内にグリス等の粘性の高い潤滑剤を配置したが、これに限定されるものでなく、例えば、多孔質の樹脂部材のように、オイル等の粘性の低い潤滑剤を含浸可能であるとともに、この含浸した潤滑剤を常に転動体転動路２４内へ供給可能な固形の潤滑剤含浸部材を配置してもよい。この場合、粘性の高い潤滑剤だけでなく、粘性の低い潤滑剤も使用することが可能となり、直動転がり案内ユニット１の設計及び使用条件が拡大するため、多様な目的に対応可能な直動転がり案内ユニット１を作成することが可能となる。
【００２８】
また、本実施形態の直動転がり案内ユニット１では、一本の転動体転動路２４内にボールリテーナ８を一つ配置して、転動体列３２が転動体転動路２４内において無端状となるようにしたが、これに限定されるものではない。すなわち、一本の転動体転動路２４内に、転動体転動路２４に沿ってボールリテーナ８を複数配置して、転動体列３２が転動体転動路２４内において無端状となるようにしてもよい。
【００２９】
さらに、本実施形態では、連結部２８が湾曲可能な方向を、転動体転動路２４に沿った方向としたが、これに限定されるものではなく、ボール６の円滑な転動を阻害することが無い方向に湾曲可能であればよい。
さらに、本実施形態では、貫通孔３０を円筒状に形成したが、これに限定されるものではなく、例えば、図４（ａ）〜（ｈ）に示すように、貫通孔３０を様々な形状に形成してもよい。この場合、間座部２６とボール６とが点接触となり、間座部２６とボール６との間に生じる摩擦力が減少する。
【００３０】
また、図５及び図６に示すように、間座部２６の外周部３６に面取り部３８を形成してもよい。この場合、ボール６を隣り合う間座部２６間に装填する際に、ボール６が外周部３６に引っ掛かることが防止されるため、ボール６の装填が容易となる。また、外周部３６と転動体転動路２４との接触面積が減少して、特に転動体転動路２４の曲線部における、間座部２６と転動体転動路２４との間に生じる摩擦力が減少するため、直動転がり案内ユニット１の作動性が向上する。
【００３１】
また、本実施形態では、ボールリテーナ８を、同一材料を用いて成形された間座部２６及び連結部２８を一体成形することにより形成したが、これに限定されるものではない。すなわち、間座部２６及び連結部２８を、それぞれの使用条件等に適した別の材料によって成形し、これらの間座部２６及び連結部２８を一体成形してボールリテーナ８を成形してもよい。この場合、ボールリテーナ８の強度が増加して耐久性が向上するため、直動転がり案内ユニット１の長寿命化が可能となる。
また、連結部２８の形状は、図２に示した形状に限定されるものではなく、例えば、図７及び図８に示すような形状としてもよい。
【００３２】
次に、本発明の第二の実施形態について図面を参照しつつ説明する。
まず、図９を参照して本発明の第二の実施形態の構成を説明する。なお、第一の実施形態と同様の構成については、同一符号を付して説明する。
図９に示すように、本実施形態の直動転がり案内ユニット１に備えられるボールリテーナ８は、第一の実施形態で説明したボールリテーナ８と、以下の点で構成が異なっている。すなわち、間座部２６に、貫通孔３０が間座部２６の外周側に開口するように切欠いた開口部４０が形成されている。また、間座部２６において開口部４０が形成される径方向の向きは、間座部２６の径方向中心から見て、間座部２６が連結部２８に連結されている部分と略直角をなす向きとなっている。その他の構成は、上述した第一の実施形態と同様である。
【００３３】
次に、上記の構成のボールリテーナ８を備えた直動転がり案内ユニット１の作用・効果等を説明する。
このような構成のボールリテーナ８を備えた直動転がり案内ユニット１であれば、隣り合う間座部２６間にボール６を装填する際に、ボール６と連結部２８とが接触することなく、開口部４０を通じてボール６を装填することが可能となるため、ボール６の装填が容易となり、直動転がり案内ユニット１の生産性を向上させることが可能となる。また、間座部２６とボール６との接触面積が減少し、間座部２６とボール６との間に生じる摩擦力が減少するため、直動転がり案内ユニット１の作動性を向上させることが可能となる。さらに、潤滑剤や潤滑剤含浸部材の保持領域が拡大されるため、間座部２６とボール６との良好な潤滑状態を長期に亘って保持することが可能となり、直動転がり案内ユニット１の長寿命化が可能となる。また、直動転がり案内ユニット１の良好な作動性を長期に亘って維持することが可能となり、直動転がり案内ユニット１の長寿命化が可能となる。
【００３４】
次に、本発明の第三の実施形態について図面を参照しつつ説明する。
まず、図１０を参照して本発明の第四の実施形態の構成を説明する。なお、第一及び第二の実施形態と同様の構成については、同一符号を付して説明する。
図１０に示すように、本実施形態の直動転がり案内ユニット１に備えられるボールリテーナ８は、第一の実施形態で説明したボールリテーナ８と、以下の点で構成が異なっている。すなわち、間座部２６において開口部４０が形成される径方向の向きが、隣り合う間座部２６毎に異なっている。その他の構成は、上述した第二の実施形態と同様である。
【００３５】
次に、上記の構成のボールリテーナ８を備えた直動転がり案内ユニット１の作用・効果等を説明する。
このような構成のボールリテーナ８を備えた直動転がり案内ユニット１であれば、隣り合う間座部２６間に装填されたボール６に対して、間座部２６の径方向への外力が加わっても、この外力によるボール６の変位は、間座部２６の開口部４０が形成されていない部分によって防止される。このため、隣り合う間座部２６によるボール６の保持力を向上させることが可能となり、直動転がり案内ユニット１の組立が容易となるため、直動転がり案内ユニット１の生産性を向上させることが可能となる。
【００３６】
その他の作用・効果は、上述した第二の実施形態と同様である。
なお、図中に示すように、間座部２６において開口部４０が形成される径方向の向きは、間座部２６の径方向中心から見て、間座部２６のうち連結部２８が連結されている部分と略直角をなす向きとするとともに、隣り合う間座部２６毎に逆の向きとすることが好適である。
【図面の簡単な説明】
【００３７】
【図１】本発明の直動転がり案内ユニットの軸方向断面図である。
【図２】本発明の第一の実施形態におけるボールリテーナを示す図である。
【図３】間座部の各部の寸法を示す図である。
【図４】貫通孔の形状の変形例を示す図である。
【図５】本発明の第一の実施形態の変形例におけるボールリテーナを示す図である。
【図６】本発明の第一の実施形態の変形例におけるボールリテーナを示す図である。
【図７】本発明の第一の実施形態の変形例におけるボールリテーナを示す図である。
【図８】本発明の第一の実施形態の変形例におけるボールリテーナを示す図である。
【図９】本発明の第二の実施形態におけるボールリテーナを示す図である。
【図１０】本発明の第三の実施形態におけるボールリテーナを示す図である。
【図１１】従来の直動転がり案内ユニットに備えられているボールリテーナを示す図である。
【図１２】従来の直動転がり案内ユニットに備えられているボールリテーナを示す図である。
【符号の説明】
【００３８】
１    直動転がり案内ユニット
２    案内レール
４    スライダ
６    ボール
８    ボールリテーナ
１０  レール側転動体転動溝
１２  スライダ本体
１４  エンドキャップ
１６  スライダ側転動体転動溝
１８  負荷転動路
２０  転動体戻り路
２２  方向転換路
２４  転動体転動路
２６  間座部
２８  連結部
３０  貫通孔
３２  転動体列
３４  保持部
３６  外周部
３８  面取り部
４０  開口部
４２  凹部
ｈ    貫通孔の直径
ｃ    隣り合うボール同士の隙間
ｔ    間座部の軸方向長さ
【図１】
2006153185.tif 000003
【図２】
2006153185.tif 000004
【図３】
2006153185.tif 000005
【図４】
2006153185.tif 000006
【図５】
2006153185.tif 000007
【図６】
2006153185.tif 000008
【図７】
2006153185.tif 000009
【図８】
2006153185.tif 000010
【図９】
2006153185.tif 000011
【図１０】
2006153185.tif 000012
【図１１】
2006153185.tif 000013
【図１２】
2006153185.tif 000014